(57)【特許請求の範囲】
【請求項１】
複数パターンのプリアンブル変調系列が用いられる無線通信方式によって通信を行う基地局装置であって、
他の基地局装置との間で基地局間同期をとるための同期処理を行う手段と、
前記基地局間同期における同期先となる他の基地局装置を、当該他の基地局装置が送信するプリアンブル変調系列のパターンに基づいて選択する選択手段と、
を備え、
前記複数パターンのプリアンブル変調系列は、クラス分けされており、
前記選択手段は、同期先となる他の基地局装置を、他の基地局装置が送信するプリアンブル変調系列のパターンのクラスに基づいて選択する
ことを特徴とする基地局装置。
【請求項２】
前記複数パターンのプリアンブル変調系列のクラス分け情報を記憶する記憶手段を更に備え、
前記選択手段は、他の基地局装置が送信するプリアンブル変調系列と、前記記憶手段に記憶された前記クラス分け情報に基づいて、他の基地局装置が送信するプリアンブル変調系列のパターンのクラスを特定する
請求項１記載の基地局装置。
【請求項３】
複数パターンのプリアンブル変調系列が用いられる無線通信方式によって通信を行う基地局装置であって、
他の基地局装置との間で基地局間同期をとるための同期処理を行う手段と、
前記基地局間同期における同期先となる他の基地局装置を、当該他の基地局装置が送信するプリアンブル変調系列のパターンに基づいて選択する選択手段と、
を備え、
前記複数パターンのプリアンブル変調系列は、クラス分けされており、
前記選択手段が同期先として選択した他の基地局装置が送信するプリアンブル変調系列よりも下位クラスのプリアンブル変調系列を、自装置が送信するプリアンブル変調系列として決定するプリアンブル決定手段を更に備える
基地局装置。
【請求項４】
複数パターンのプリアンブル変調系列が用いられる無線通信方式によって通信を行う基地局装置であって、
他の基地局装置との間で基地局間同期をとるための同期処理を行う手段と、
前記基地局間同期における同期先となる他の基地局装置を、当該他の基地局装置が送信するプリアンブル変調系列のパターンに基づいて選択する選択手段と、
を備え、
前記複数パターンのプリアンブル変調系列は、クラス分けされており、
前記選択手段は、自装置が送信の際に用いるプリアンブル変調系列よりも上位クラスのプリアンブル変調系列を送信する他の基地局装置を、同期先として選択する
基地局装置。
【請求項５】
前記基地局装置は、フレーム毎にプリアンブルが設けられる無線通信方式によって通信を行うものであり、自装置のプリアンブル変調系列のパターンを、フレーム毎のプリアンブルとして送信するよう構成され、
前記選択手段は、同期先となる他の基地局装置を、フレーム毎に設けられたプリアンブルにおけるプリアンブル変調系列のパターンのクラスに基づいて選択する
請求項１〜４のいずれか１項に記載の基地局装置。
【発明の詳細な説明】
【技術分野】
【０００１】
本発明は、基地局装置に関するものである。
【背景技術】
【０００２】
ＷｉＭＡＸのように移動端末が通信可能な無線通信システムにおいては、基地局が各地に多数設置される。各基地局がカバーするエリア（セル）内にある移動端末は、当該エリアをカバーする基地局との間で通信を行うことができる。
【０００３】
移動端末が移動することにより、移動端末の通信相手となる基地局は変更されるが、基地局が変更される際、移動端末は、同時に二つの基地局（サービング基地局とターゲット基地局）からの信号を受けることになる。
このため、移動端末の基地局間移動をスムーズに行うには、隣接する基地局間で、送信タイミングが揃っている基地局間同期が確保されている必要がある。
【０００４】
基地局間同期がとれていると、移動端末の基地局間移動の際、移動端末が同時に二つの基地局からの信号を受信でき、基地局間移動をスムーズに行える。
ここで、基地局間同期のための技術としては、例えば、特許文献１記載のものがある。
【特許文献１】特開昭５９−６６４２号公報
【発明の開示】
【発明が解決しようとする課題】
【０００５】
基地局間同期をとるには、特許文献１のように、各基地局装置が、ＧＰＳ衛星からＧＰＳ信号を受信し、各基地局が共通の同期信号によって動作することが考えられる。
しかし、ＧＰＳ信号を利用して同期をとる場合、各基地局装置が、ＧＰＳ受信機を備える必要があり、大型化・コストアップを招く。また、室内等のＧＰＳ信号を受信できない環境に設置される基地局装置の場合、基地局間同期をとることが不可能になる。
【０００６】
そこで、隣接する他の基地局が送信したプリアンブルの受信波を用いて、隣接する当該他の基地局の送信タイミングを検出し、当該送信タイミングで同期をとる同期処理を行うことが考えられる。
この場合、移動端末との通信を行う周波数と同じ周波数を用いた無線通信で同期をとれるので、ＧＰＳ信号を受信する場合のＧＰＳ受信機のように同期用の特別な受信系を全基地局が具備する必要ない。
【０００７】
ここで、他の基地局が送信したプリアンブルによって基地局間同期をとるようにした場合、適切に基地局間同期をとるには、同期先となる基地局を適切に選択し、不適切な基地局が同期先として選択されないようにする必要がある。
【０００８】
そこで、本発明は、同期先を適切に選択するための新たな技術を提供することを目的とする。
【課題を解決するための手段】
【０００９】
本発明者らは、複数の基地局装置を識別して適切な同期先を選択するために、他の基地局が端末装置へ送信するプリアンブルのパターンを利用するという着想を得た。
つまり、ＷｉＭＡＸのように複数パターンのプリアンブルが用いられる無線通信方式においては、各基地局装置が用いるプリアンブルのパターンを基地局装置によって異ならせることで、プリアンブルを受信した基地局装置が、他の基地局装置を識別するのに利用できるという着想を、本発明者らは得て、本発明を完成した。
【００１０】
すなわち、本発明は、複数パターンのプリアンブルが用いられる無線通信方式によって通信を行う基地局装置であって、他の基地局装置との間で基地局間同期をとるための同期処理を行う手段と、基地局間同期における同期先となる他の基地局装置を、当該他の基地局装置が送信するプリアンブルのパターンに基づいて選択する選択手段と、を備えていることを特徴とする基地局装置である。
【００１１】
上記本発明によれば、他の基地局装置が送信するプリアンブルのパターンに基づいて、同期先を選択することができる。本発明では、プリアンブルという基地局−端末間通信のために用意されている信号を利用することで、基地局間同期のために他の基地局を識別するための特別な情報を用いなくても、基地局装置を識別することができる。
【００１２】
同期先となる他の基地局装置が送信するプリアンブルのパターンを示す同期先プリアンブル情報を記憶する記憶手段を更に備え、前記選択手段は、前記記憶手段に記憶されている前記同期先プリアンブル情報が示すプリアンブルのパターンを送信する他の基地局装置を、同期先として選択するのが好ましい。この場合、設定されている同期先をプリアンブルパターンによって識別することで、同期先を選択することができる。
【００１３】
前記複数パターンのプリアンブルは、クラス分けされており、前記選択手段が同期先として選択した他の基地局装置が送信するプリアンブルよりも下位クラスのプリアンブルを、自装置が送信するプリアンブルとして決定するプリアンブル決定手段を更に備えているのが好ましい。この場合、当該基地局装置は、同期先となる他の基地局装置よりも下位のクラスとなる。この結果、プリアンブルによって基地局装置をクラス分けすることができ、さらに別の基地局装置が適切な同期先を選択するのが容易となる。
【００１４】
前記複数パターンのプリアンブルは、クラス分けされており、前記選択手段は、自装置が送信の際に用いるプリアンブルよりも上位クラスのプリアンブルを送信する他の基地局を、同期先として選択するのが好ましい。この場合、クラスをプリアンブルパターンによって識別することができるとともに、上位クラスを同期先として選択するため、適切な同期先が選択され易くなる。
【発明の効果】
【００１５】
本発明によれば、他の基地局装置が送信するプリアンブルのパターンに基づいて、同期先を選択することができる。
【発明を実施するための最良の形態】
【００１６】
以下、本発明の好ましい実施形態について添付図面を参照しながら説明する。
図１は、複数の基地局装置（ＢＳ：Base Station）１，１ａ，１ｂ，１ｃ，・・・１ｈを有する無線通信システムを示している。この無線通信システムでは、例えば、広帯域無線通信を実現するために直交周波数分割多元接続（ＯＦＤＭＡ）方式をサポートするＩＥＥＥ８０２．１６に規定される「ＷｉＭＡＸ」に準拠した方式が採用されている。
各基地局装置１，１ａ，１ｂ，１ｃ，・・・１ｈは、自エリア（セル）内の端末装置（移動端末）との間で通信が可能とされている。
【００１７】
図２に示すように、ＷｉＭＡＸにおける一つのフレームは、既知信号であるプリアンブル（Preamble）を含むダウンリンクサブフレーム（ＤＬ）、アップリンクサブフレーム（ＵＬ）を時間軸方向に並べて構成されている。前記プリアンブルは、ダウンリンクサブフレームの先頭に付加された既知信号である。
なお、一つのフレームの長さは、５ｍｓｅｃである。また、プリアンブルは、使用される符号を異ならせることによって複数のパターンが用意されている。
【００１８】
移動端末が基地局間移動を行う場合、現在、通信を行っているサービング基地局装置ＢＳ１及び、次に通信を行うターゲット基地局装置ＢＳ２の両方と通信を行うことになるが、図２に示すように、隣接する基地局装置ＢＳ１，ＢＳ２で基地局間同期がとれていると、移動端末からみて、各基地局装置ＢＳ１，ＢＳ２からの送信タイミング（ダウンリンクサブフレームのタイミング）と、各基地局装置ＢＳ１，ＢＳ２の受信タイミングタイミング（アップリングサブフレームのタイミング）とが、それぞれ一致する。この結果、移動端末は、二つの基地局装置からの信号を受信することができ、スムーズに基地局間移動が行える。
【００１９】
図１に戻り、本実施形態に係る無線通信システムは、基地局装置１，１ａ，・・・，１ｈとして、マスタ基地局装置（以下、「マスタＢＳ」という）１とスレーブ基地局装置（以下、「スレーブＢＳ」という）１ａ，・・・,１ｈとを有している。本実施形態の基地局装置１，１ａ，・・・，１ｈは、ＧＰＳ受信機を有していないため、小型化・コスト低減が可能である。また、建物内部などＧＰＳ信号を受信し難い場所でも設置することができる。
【００２０】
マスタＢＳ１は、基地局間同期のためのタイミングを他の基地局装置１ａ，１ｂ，１ｃ，・・・１ｈが送信した信号の受信波から取得する必要がない基地局装置であり、本実施形態では、自装置が発生する同期信号（クロック）に基づいて信号の送信タイミングを決定する自走マスタ基地局装置として構成されている。なお、マスタＢＳ１は、ＧＰＳ受信機を備え、ＧＰＳ信号を用いて信号の送信タイミングを決定するものであってもよい。
【００２１】
スレーブＢＳ１ａ，・・・，１ｈは、基地局間同期のためのタイミングを、他の基地局装置１，１ａ，・・・，１ｈが送信したプリアンブルの受信波から検出して取得する基地局装置である。
スレーブＢＳ１ａ，・・・，１ｈは、他の複数の基地局装置（マスタ基地局装置又は他のスレーブ基地局装置）１，１ａ，・・・，１ｈのうち、一の基地局装置を、ソース基地局装置（以下、「ソースＢＳ」という）として選択し、当該ソースＢＳが送信した信号（プリアンブル；既知信号）の受信波（ソース受信波）を検出して、基地局間同期のためのタイミング（信号の送信タイミング）を取得する。
【００２２】
基地局装置１ａ，・・・，１ｈは、どの基地局装置からの受信波を用いて同期をとるかを決める機能、つまり同期先の選択機能として、同期先を設定情報に基づいて選択（初期選択）する第１選択機能と、同期先を自律的に選択（再選択）する自律同期先選択機能（第２選択機能）と、を有している。なお、第１選択機能と第２選択機能のいずれか一方だけを有していても良い。
【００２３】
マスタＢＳ１及びスレーブＢＳ１ａ，・・・，１ｈは、受信した信号を処理する処理部（プロセッサ）と、前記処理部によって実行されるコンピュータプログラム及び必要な情報（設定情報等）が記録されたメモリと、を有している。
図３は、基地局装置１，１ａ，・・・，１ｈのプロセッサが前記コンピュータプログラムを実行することによって実現される機能を示している。なお、図３に示す機能は、専らスレーブＢＳによって利用されるが、マスタＢＳ１も備えている。
【００２４】
図３に示すように、基地局１，１ａ，・・・，１ｈは、自装置が、基地局間同期のために他の基地局からの受信波を必要とするスレーブ基地局装置１ａ，・・・，１ｈであるか、基地局間同期のために他の基地局からの受信波を必要としないマスタ基地局装置１であるかを判定する判定部１１を備えている。
この判定部１１によって、自装置がマスタ基地局装置１であると判定されると、自装置が有するクロック発生器（図示省略）によって発生するクロックを同期信号として、送信タイミングを決定する。
したがって、他の基地局装置１ａ，１ａ，・・・，１ｈは、マスタＢＳが自ら決定した送信タイミングで送信した信号を受け、その受信波のタイミングと同期をとることが可能となる。
【００２５】
判定部１１によって、自装置がスレーブ基地局装置１ａ，・・・，１ｈであると判定されると、基地局装置は、他の基地局装置（ソースＢＳ）から送信されたプリアンブル（同期信号）を含む受信波によって、プリアンブルのタイミングを検出し、同期をとるための処理を行う。
ソースＢＳは、信号（プリアンブル）を送信している基地局装置であればよいため、マスタＢＳがなってもよいし、スレーブＢＳがなってもよい。本実施形態の無線通信システムは、少なくとも一つのマスタＢＳを含むため、当該マスタＢＳとの間で直接又は間接的に基地局間同期をとることができる。
【００２６】
図３に示すように、基地局装置１，１ａ，・・・，１ｈは、自装置に隣接する基地局からの受信波をスキャニングするスキャニング部１２を備えている。
スキャニング部１２は、受信可能な信号を受信してプリアンブルのパターンを解析するとともに、受信波のＲＳＳＩ、プリアンブルのタイミング（タイミングオフセット）を算出する。
【００２７】
基地局装置１，１ａ，・・・，１ｈは、他の基地局装置が使用する可能性のある複数のプリアンブルパターンを既知パターンとしてメモリに有している。ＷｉＭＡＸでは、図４に示すようにプリアンブル（プリアンブル符号；Preamble modulation series）として、１１４種類が規定されており、０〜１１３までのプリアンブル番号（Ｉｎｄｅｘ）が付与されている。なお、図４に示すものは、１Ｋ  ＦＥＴモードの場合のプリアンブル符号を一例として示したものあり、これらに限定されるものではない。
また、図５に示すように、基地局装置１，１ａ，・・・，１ｈは、１１４種類のプリアンブルを複数クラス（１１クラス）にクラス分けした情報を有している。例えば、クラス１には、プリアンブル番号１〜１９のプリアンブルが対応付けら、クラス２には、プリアンブル番号２９〜３９のプリアンブルが対応付けられている。
【００２８】
各基地局装置１，１ａ，・・・，１ｈは、稼働時（通信時）においては、いずれかのクラスに属し、自装置が属するクラスに対応するプリアンブル番号のプリアンブルを用いて、端末装置との通信を行う。
なお、各クラスには、複数のプリアンブルパターンが属しているため、隣接する複数の基地局装置が同じクラスに属していても、各基地局装置がプリアンブルを使い分けることが可能である。
【００２９】
図１に示すように、クラス１（最上位クラス：Ｃ１）は、マスタＢＳ１のためのクラスであり、クラス２（２階層目のクラス：Ｃ２）は、マスタＢＳ１を直接の同期先とするスレーブＢＳ１ａ，１ｂ，１ｇのためのクラスである。以下同様に、クラス３（３階層目のクラス）は、クラス２のＢＳ１ａ，１ｂ，１ｇを直接の同期先とするスレーブＢＳ１ｅ，１ｃのためのクラスであり、クラス４（４階層目のクラス）は、クラス３のＢＳ１ｅ，１ｃを直接の同期先とするスレーブＢＳ１ｈ，１ｆ，１ｄのためのクラスである。
【００３０】
また、前記スキャニング部１２は、検出したプリアンブルパターンと、プリアンブルのクラス分けの情報に基づいて、受信波に含まれるプリアンブルのクラス（種類）を特定する。
【００３１】
図６は、プリアンブルのタイミングを検出する方法の一例示している。プリアンブルは既知信号であるから、プリアンブルの信号波形も既知である。サンプリング後の受信信号をＸ（ｔ）、プリアンブルの離散時間領域での信号をＰ（ｎ）（ｎ＝１，・・・，Ｎ−１）とすると、図６（ａ）に示す受信波Ｘ（ｔ）に対して、時間方向にＰ（ｎ）のスライディング相関をとる。
スキャニング部１２は、このスライディング相関を複数種類のプリアンブルパターンについて行うことで、受信波と一致したパターン（最も高い相関が生じたパターン）を受信波のプリアンブルパターンとして特定できる。また、その相関値は、受信波強度（ＲＳＳＩ）となる。
また、スキャニング部１２は、図６（ｂ）に示すように、受信波Ｘ（ｔ）とＰ（ｎ）相関値がピークをとった位置を、プリアンブルのタイミングとして検出することができる。
【００３２】
なお、検出された受信波のうち、ＲＳＳＩが、ＲＳＳＩ閾値ＴＲを超えないものは、受信波強度が弱すぎるものとして、ソースＢＳ選択には用いない。
【００３３】
スキャニング部１２によって特定されたプリアンブルパターンを示す情報、タイミング、及びＲＳＳＩの組み合わせ（測定結果）は、収集部１３によってメモリに保存され、後述の選択部１４によって参照可能とされる。
【００３４】
選択部１４は、同期タイミングを決定するために用いられる一のソース受信波（同期先の基地局装置）を選択する。
選択部１４は、前述のように、同期先を設定情報に基づいて選択（初期選択）する第１選択機能と、同期先を受信波に基づいて自律的に選択（再選択）する自律同期先選択機能（第２選択機能）と、を有している。
【００３５】
自律的な同期先選択機能（第２選択機能）におけるソース受信波の選択の基準としては、クラスが自装置よりも上位のプリアンブルを選択するものとする。なお、より上位クラスの受信波が複数ある場合には、適当な選択ロジックによって一つに絞りこむことができる。
複数の受信波を一つに絞り込むための主な基準として、本実施形態では、自装置から最も近い基地局装置からの受信波を、ソース受信波として選択することとする。
近い基地局と同期をとる方が、同期精度が良いと考えられるからである。このため、基地局装置は、受信波から、基地局間の距離に影響を受ける受信波特性を測定すればよい。本実施形態では、受信波それぞれのＲＳＳＩ（受信信号強度）及びタイミングオフセットによって絞り込みを行う。ＲＳＳＩが大きければ、自装置までの距離が近く、ＲＳＳＩが小さければ、自装置までの距離が大きいと判断できる。また、タイミングオフセットが小さければ、自装置までの距離が小さいと判断できる。
なお、基地局間の距離に影響を受ける受信波特性としては、ＣＩＮＲなど受信信号品質を示す特性であってもよい。
【００３６】
以下、基地局装置が行う同期処理に関する処理の流れを、図７に基づいて説明する。図７は、基地局装置が起動（再起動）した直後に、基地局間同期をとるための初期同期処理（同期先の第１の選択）を行ってから、端末装置との間の通信（通常通信モード）を行いつつ、通信中に再同期（同期先の第２の選択）を行う場合の流れを示している。
【００３７】
まず、基地局装置が起動すると、基地局間同期をとるための初期同期処理が行われる（ステップＳ１）。この初期同期処理が完了すると、基地局装置は、プリアンブルを含むダウンリンクサブフレームを送信して（図２参照）、端末装置との間での通信が行えるようになる（通常通信モード）。
【００３８】
基地局間同期は、基地局装置が有するクロック発生器の精度等の問題によって、端末装置との間での通信中にずれを生じる場合がある。そこで、基地局装置は、端末装置との間での通信中であっても、再度、基地局間同期をとり直す必要がある。
基地局間同期をとり直す再同期モードの実行のため、基地局装置は、再同期モードを実行する同期タイミングであるか否かの判定を行う（ステップＳ２）。再同期モードは、周期的に行われるように設定されており、再同期タイミングになると（ステップＳ３）、端末装置との通信を休止して、再同期モードが実行される（ステップＳ４）。なお、再同期モード以外のときは、通常通信モードによって端末装置との通信が行われる（ステップＳ５）。
【００３９】
図８は、前記初期同期処理の詳細を示している。この初期同期処理は、基地局装置の電源投入による起動直後や再起動直後に行われる。
【００４０】
基地局装置が起動すると、まず、判定部１１によって、自装置がマスタＢＳ１であるか否かが判定される（ステップＳ１１）。自装置がマスタＢＳ１である場合、ソースＢＳ（ソース受信波）は必要ないため、自装置が有するクロック発生器のクロック信号（自走モード）やＧＰＳ信号に基づいて同期タイミングを決定する（ステップＳ１２）。また、マスタＢＳは、クラス１に属するプリアンブルパターン（プリアンブル番号１〜２０のプリアンブル）の一つを適宜選択し、そのプリアンブルを用いて、端末装置との間の通信を行う。
【００４１】
本実施形態において、自装置がマスタＢＳ１であるか否かを判定するために、判定部１１は、メモリ（設定情報記憶部１５）に記録された設定情報（config）を参照する。
図９は、設定情報記憶部１５に記録された設定情報（config）の一例を示している。
マスタＢＳとして用いられる基地局装置の場合、設定情報として、自装置がマスタＢＳである旨の情報（種別＝“Ｍａｓｔｅｒ”）が予めに設定されているため、判定部１１が設定情報を参照し、設定情報に自装置がマスタＢＳである旨の情報が含まれていれば、自装置がマスタＢＳであると判定できる。
また、設定情報にスレーブＢＳである旨の情報（種別＝“Ｓｌａｖｅ”）が含まれていれば、自装置がスレーブＢＳであると判定できる。
【００４２】
なお、マスタＢＳとスレーブＢＳとの区別は、当該設定情報を参照することで、基地局装置自身が自ら判定できるため、設定情報以外は、基地局の装置構成（特にコンピュータプログラム）を、マスタＢＳとスレーブＢＳで共通化でき、汎用性の高い装置が得られる。また、設定情報を変更すれば、マスタＢＳとスレーブＢＳとを相互に変更することも容易に行える。
なお、同期のためにＧＰＳ信号を用いる場合、ＧＰＳ信号の有無で自装置がマスタＢＳ１であるか否かを判定してもよい。
【００４３】
ステップＳ１１において、自装置がスレーブＢＳであると判定された場合、スキャニング部１２によって隣接ＢＳからの受信波のスキャニングを行う（ステップＳ１３）。
そして、スキャニングで検出された受信波（ＢＳ）のプリアンブルパターンが、図９に示す設定情報に含まれる「同期先クラス」が示すクラスに属するプリアンブルパターンであるか否かを判定する（ステップＳ１４）。
【００４４】
例えば、スレーブＢＳ−Ａ１ａであれば、「同期先クラス」として“クラス１”が設定されている。ここで、クラス１は、マスタＢＳ１が属するクラスである。したがって、スレーブＢＳ−Ａ１ａは、検出された受信波のプリアンブルパターンがクラス１に属するものであれば（ステップＳ１４）、その受信波をソース受信波とし、そのソース受信波に含まれるプリアンブルのタイミングで基地局間同期をとる（ステップＳ１５）。
そして、スレーブＢＳ−Ａ１ａは、同期先クラス（クラス１）よりも一つ下のクラス（クラス２）を自装置が用いるプリアンブルのクラス（クラス２）とし、そのクラス（クラス２）属するプリアンブルパターンの一つを適宜選択して、端末装置との間の通信に用いる。
【００４５】
なお、同期先のスキャニングは、設定された同期先が見つかるまで、所定の継続時間まで継続される（ステップＳ１６）。前記継続時間までスキャニングを継続しても、同期先が見つからない場合には、その基地局装置は自走モードとなる（ステップＳ１７）。
【００４６】
図９に示す設定情報に基づき、各基地局装置１，１ａ，・・・，１ｈが初期同期処理を行うと、図１に示す初期同期ツリー構造が構築される。
つまり、クラス１であるマスタＢＳ１を頂点として、クラス２の基地局装置１ａ，１ｂ，１ｇがマスタＢＳ１を同期先とし、クラス３の基地局装置１ｅ，１ｃがクラス２の基地局装置１ａ，１ｂを同期先とし、クラス４の基地局装置１ｈ，１ｆ，１ｄがクラス３の基地局装置１ｅ，１ｃを同期先とする。
【００４７】
図９の設定情報は、基地局装置の設置者等が、基地局装置の設置位置等に応じて適宜設定される。例えば、マスタＢＳ１を中心として同心円状に、クラス分けをすることで、設定情報の設定者は、容易に同期先を決めることができる。
ただし、上記のようにして設定された同期先が、基地局装置の設置環境に照らして最適であるとは限らないため、前記再同期モードにおいては、各基地局装置が、設定情報にかかわらず、自律的に同期先を選択する。
【００４８】
このように、当所は、設定情報を用いて同期先を決めることで、マスタＢＳを頂点とする、ある程度適切な同期ツリーを構築しつつ、それをベースに、各基地局装置が自律的に同期先を選択することで、最適な同期ツリー構造が容易に得られる。
つまり、最適な同期ツリー構造を設定情報において設定しようとすると、基地局装置の設置者が通信環境を考慮して最適な同期先を決定するという困難な作業が必要となる。
一方、各基地局装置が完全に自由に同期先を選択できるようにすると、自装置を同期先とする基地局装置を同期先としてしまうなどの不都合が生じるが、初期同期ツリーをベースに同期ツリーを所定のルールで再構築することで、最適な同期ツリーが容易に得られる。
【００４９】
すなわち、前記再同期モードでは、図１０に示すように、まず、スキャニング部１２によって隣接基地局装置のスキャニングが行われる（ステップＳ２１）。そして、受信波のＲＳＳＩ値が、閾値ＴＲを超えるものについて、ＢＳリストＡを生成する（ステップＳ２２）。また、ＢＳリストＡに含まれる受信波のプリアンブルパターンを解析し、自装置のクラスよりも上位のクラスのプリアンブル（ＢＳ）が含まれるか否かを判定する（ステップＳ２３）。
【００５０】
ＢＳリストＡに、上位クラスのプリアンブル（ＢＳ）が含まれていなければ、スキャニングを再度行ってＢＳリストＡを再度生成する。
こうして、上位クラスのプリアンブル（ＢＳ）が１又は複数含まれるＢＳリストＡが生成できたら（ステップＳ２３）、そのＢＳリストＡから、自装置よりも上位クラスのプリアンブル（ＢＳ）の情報を抜き出して、ＢＳリストＢを生成する（ステップＳ２４）。
【００５１】
そして、そのＢＳリストＢから一の最適プリアンブル（ＢＳ）を含む受信波をソース受信波（ソースＢＳ）として選択し（ステップＳ２５）、再同期モードを終了する。
【００５２】
図１１は、最適ＢＳ選択処理を示している。ここでは、まず、リストＢの受信波の中から、タイミングオフセットが最も小さいＢＳ（受信波）を割り出す（ステップＳ３１）。
そして、最もタイミングオフセットが小さな受信波（ＢＳ）と、リストＢ中の各受信波（ＢＳ）について、タイミングオフセットの差（絶対値）を求める。そして、リストＢ中の各受信波（ＢＳ）のうち、タイミングオフセットの差（絶対値）が、閾値Ｔｈｔ未満である受信波（ＢＳ）のリストＣを作成する（ステップＳ３３）。このリストＣはメモリに記憶される。なお、閾値Ｔｈｔは、ゼロであってもよい。
【００５３】
さらに、基地局装置は、メモリのリストＣから、当該リストＣ中の受信波のＲＳＳＩを取得する（ステップＳ３３）。そして、リストＣの中からＲＳＳＩ値が最も大きい受信波（ＢＳ）を割り出し、その受信波をソース受信波（ソースＢＳ）として選択する（ステップＳ３４）。
以上の処理により、タイミングオフセットが比較的小さい受信波の中から、ＲＳＳＩが最大である受信波が選択される。
【００５４】
この結果、基地局装置は、それまでのソースＢＳ以外のより適切な他の基地局装置をソースＢＳとすることが可能である。例えば、図１において、スレーブＢＳ−Ｈ１ｈは、設定情報に従って、クラス３に属するスレーブＢＳ−Ｅ１ｅをソースＢＳとしている。しかし、再同期モードによって隣接ＢＳのスキャニングを行った場合、受信環境によっては、スレーブＢＳ−Ａ１ａをソースＢＳとした方が良好な受信波が得られると判断した場合には、図１２に示すように、スレーブＢＳ−Ｈ１ｈは、スレーブＢＳ−ＡをソースＢＳとし、自身は、クラス３となる。
【００５５】
このように、本実施形態の無線通信システムでは、各基地局装置が、再同期の際に、自律的に適切な同期先を選択し直して、同期ツリーが再構築される。この結果、適切な同期ツリーが自動構築される。また、本システムでは、同期ツリーを自律的に構築できるため、基地局装置の増設・減設・故障などによる受信波の変化などにも対応できる。
【００５６】
なお、今回開示された実施の形態はすべての点で例示であって制限的なものではないと考えられるべきである。本発明の範囲は、上記した意味ではなく、特許請求の範囲によって示され、特許請求の範囲と均等の意味、及び範囲内でのすべての変更が含まれることが意図される。
【図面の簡単な説明】
【００５７】
【図１】無線通信システムの全体図である。
【図２】二つの基地局装置間で同期がとれている様子を示すタイミングチャートである。
【図３】基地局装置の機能ブロック図である。
【図４】ＷｉＭＡＸにおけるプリアンブル符号の一覧表である。
【図５】プリアンブルのクラス分け情報を示す図である。
【図６】プリアンブルのタイミングを検出するための説明図である。
【図７】基地局装置の起動後の処理の示すフローチャートである。
【図８】初期同期処理を示すフローチャートである。
【図９】設定情報を示す図である。
【図１０】再同期モードを示すフローチャートである。
【図１１】最適ＢＳ選択処理を示すフローチャートである。
【図１２】再同期モードによって再構築された同期ツリーを示す図である。
【符号の説明】
【００５８】
１：マスタ基地局装置，１ａ，１ｂ，１ｃ，１ｄ，１ｅ，１ｆ，１ｇ，１ｈ：スレーブ基地局装置，１１：判定部，１２：スキャニング部，１３：収集部，１４：選択部，１５：設定情報記憶部
【図１】
0005355909.tif 000002
【図２】
0005355909.tif 000003
【図３】
0005355909.tif 000004
【図４】
0005355909.tif 000005
【図５】
0005355909.tif 000006
【図６】
0005355909.tif 000007
【図７】
0005355909.tif 000008
【図８】
0005355909.tif 000009
【図９】
0005355909.tif 000010
【図１０】
0005355909.tif 000011
【図１１】
0005355909.tif 000012
【図１２】
0005355909.tif 000013